(57)【特許請求の範囲】
【請求項１】
プライマリセルとセカンダリセルとで構成された端末のＡＣＫ/ＮＡＣＫ（ａｃｋｎｏｗｌｅｄｇｅｍｅｎｔ/ｎｏｔ−ａｃｋｎｏｗｌｅｌｄｇｅｍｅｎｔ）送信方法において、
データを前記セカンダリセルのダウンリンクサブフレームｎ−ｋで受信し、
前記データに対するＡＣＫ/ＮＡＣＫを前記プライマリセルのアップリンクサブフレームｎで送信し、
前記プライマリセルは、ＴＤＤ（ｔｉｍｅ ｄｉｖｉｓｉｏｎ ｄｕｐｌｅｘ）フレームを使用するセルであり、前記セカンダリセルは、ＦＤＤ（ｆｒｅｑｕｅｎｃｙ ｄｉｖｉｓｉｏｎ ｄｕｐｌｅｘ）フレームを使用するセルであり、
前記プライマリセルは、表１のアップリンク−ダウンリンク設定（Ｕｐｌｉｎｋ−ｄｏｗｎｌｉｎｋ ｃｏｎｆｉｇｕｒａｔｏｎ：ＵＬ−ＤＬ Ｃｏｎｆ.）のうちいずれか一つに設定され、
前記プライマリセルのアップリンク−ダウンリンク設定が表１のアップリンク−ダウンリンク設定３、４、又は６のとき、前記ｎ及び前記ｋは、表２のように決定される、方法。
【表１】
0006306164.tif 000016
ここで、表１において、Ｄは、ダウンリンクサブフレームを示し、Ｓは、スペシャルサブフレームを示し、Ｕは、アップリンクサブフレームを示す。
【表２】
0006306164.tif 000017
【請求項２】
前記プライマリセルは、前記端末が基地局との初期接続確立過程または接続再確立過程を実行するセルであり、
前記セカンダリセルは、前記端末に、前記プライマリセルに加えて追加的に割り当てられるセルである、請求項１に記載の方法。
【請求項３】
前記ＴＤＤフレーム及び前記ＦＤＤフレームのそれぞれは、１０個のサブフレームを含む、請求項１に記載の方法。
【請求項４】
無線信号を送信及び受信するＲＦ（ｒａｄｉｏ ｆｒｅｑｕｅｎｃｙ）部と、
前記ＲＦ部と連結されるプロセッサとを含み、
前記プロセッサは、データをセカンダリセルのダウンリンクサブフレームｎ−ｋで受信し、前記データに対するＡＣＫ/ＮＡＣＫをプライマリセルのアップリンクサブフレームｎで送信し、
前記プライマリセルは、ＴＤＤ（ｔｉｍｅ ｄｉｖｉｓｉｏｎ ｄｕｐｌｅｘ）フレームを使用するセルであり、前記セカンダリセルは、ＦＤＤ（ｆｒｅｑｕｅｎｃｙ ｄｉｖｉｓｉｏｎ ｄｕｐｌｅｘ）フレームを使用するセルであり、
前記プライマリセルは、表３のアップリンク−ダウンリンク設定（Ｕｐｌｉｎｋ−ｄｏｗｎｌｉｎｋ ｃｏｎｆｉｇｕｒａｔｏｎ：ＵＬ−ＤＬ Ｃｏｎｆ.）のうちいずれか一つに設定され、
前記プライマリセルのアップリンク−ダウンリンク設定が表３のアップリンク−ダウンリンク設定３、４、又は６のとき、前記ｎ及び前記ｋは、表４のように決定される、装置。
【表３】
0006306164.tif 000018
ここで、表３において、Ｄは、ダウンリンクサブフレームを示し、Ｓは、スペシャルサブフレームを示し、Ｕは、アップリンクサブフレームを示す。
【表４】
0006306164.tif 000019
【請求項５】
前記プライマリセルは、前記装置が基地局との初期接続確立過程または接続再確立過程を実行するセルであり、
前記セカンダリセルは、前記装置に、前記プライマリセルに加えて追加的に割り当てられるセルである、請求項４に記載の装置。
【請求項６】
前記ＴＤＤフレーム及び前記ＦＤＤフレームのそれぞれは、１０個のサブフレームを含む、請求項４に記載の装置。
【発明の詳細な説明】
【技術分野】
【０００１】
本発明は、無線通信に関し、より詳しくは、互いに異なるタイプの無線フレームを使用するサービングセルがアグリゲーションされた端末のＡＣＫ/ＮＡＣＫ（ａｃｋｎｏｗｌｅｄｇｅｍｅｎｔ/ｎｏｔ−ａｃｋｎｏｗｌｅｄｇｅｍｅｎｔ）送信方法及び装置に関する。
【背景技術】
【０００２】
３ＧＰＰ（３ｒｄ Ｇｅｎｅｒａｔｉｏｎ Ｐａｒｔｎｅｒｓｈｉｐ Ｐｒｏｊｅｃｔ）ＴＳ（Ｔｅｃｈｎｉｃａｌ Ｓｐｅｃｉｆｉｃａｔｉｏｎ）リリース（Ｒｅｌｅａｓｅ）８に基づくＬＴＥ（ｌｏｎｇ ｔｅｒｍ ｅｖｏｌｕｔｉｏｎ）は、有力な次世代移動通信標準である。
【０００３】
３ＧＰＰ ＴＳ ３６.２１１ Ｖ８.７.０（２００９−０５）“Ｅｖｏｌｖｅｄ Ｕｎｉｖｅｒｓａｌ Ｔｅｒｒｅｓｔｒｉａｌ Ｒａｄｉｏ Ａｃｃｅｓｓ（Ｅ−ＵＴＲＡ）；Ｐｈｙｓｉｃａｌ Ｃｈａｎｎｅｌｓ ａｎｄ Ｍｏｄｕｌａｔｉｏｎ（Ｒｅｌｅａｓｅ８）”に開示されているように、ＬＴＥにおいて、物理チャネルは、ダウンリンクチャネルであるＰＤＳＣＨ（Ｐｈｙｓｉｃａｌ Ｄｏｗｎｌｉｎｋ Ｓｈａｒｅｄ Ｃｈａｎｎｅｌ）とＰＤＣＣＨ（Ｐｈｙｓｉｃａｌ Ｄｏｗｎｌｉｎｋ Ｃｏｎｔｒｏｌ Ｃｈａｎｎｅｌ）、及びアップリンクチャネルであるＰＵＳＣＨ（Ｐｈｙｓｉｃａｌ Ｕｐｌｉｎｋ Ｓｈａｒｅｄ Ｃｈａｎｎｅｌ）とＰＵＣＣＨ（Ｐｈｙｓｉｃａｌ Ｕｐｌｉｎｋ Ｃｏｎｔｒｏｌ Ｃｈａｎｎｅｌ）に分けられる。
【０００４】
ＰＵＣＣＨは、ＨＡＲＱ（ｈｙｂｒｉｄ ａｕｔｏｍａｔｉｃ ｒｅｐｅａｔ ｒｅｑｕｅｓｔ）、ＡＣＫ/ＮＡＣＫ（ａｃｋｎｏｗｌｅｄｇｅｍｅｎｔ/ｎｏｔ−ａｃｋｎｏｗｌｅｄｇｅｍｅｎｔ）信号、ＣＱＩ（Ｃｈａｎｎｅｌ Ｑｕａｌｉｔｙ Ｉｎｄｉｃａｔｏｒ）、ＳＲ（ｓｃｈｅｄｕｌｉｎｇ ｒｅｑｕｅｓｔ）のようなアップリンク制御情報の送信に使われるアップリンク制御チャネルである。
【０００５】
一方、３ＧＰＰ ＬＴＥの進化である３ＧＰＰ ＬＴＥ−Ａ（ａｄｖａｎｃｅｄ）が進行している。３ＧＰＰ ＬＴＥ−Ａに導入される技術ではキャリアアグリゲーション（ｃａｒｒｉｅｒ ａｇｇｒｅｇａｔｉｏｎ）がある。
【０００６】
キャリアアグリゲーションは、複数のコンポーネントキャリア（ｃｏｍｐｏｎｅｎｔ ｃａｒｒｉｅｒ）を使用する。コンポーネントキャリアは、中心周波数と帯域幅により定義される。一つのダウンリンクコンポーネントキャリア、またはアップリンクコンポーネントキャリアとダウンリンクコンポーネントキャリアとの対（ｐａｉｒ）が一つのセルに対応される。複数のダウンリンクコンポーネントキャリアを利用してサービスの提供を受ける端末は、複数のサービングセルからサービスの提供を受けることができる。キャリアアグリゲーションでは、スケジューリングするセルとスケジューリングを受けるセルが互いに異なる交差搬送波スケジューリング（ｃｒｏｓｓ ｃａｒｒｉｅｒ ｓｃｈｅｄｕｌｉｎｇ）と、そうでない非交差搬送波スケジューリングとがある。
【０００７】
一方、次世代無線通信システムには、ＴＤＤ（ｔｉｍｅ ｄｉｖｉｓｉｏｎ ｄｕｐｌｅｘ）無線フレームを使用するサービングセルと、ＦＤＤ（ｆｒｅｑｕｅｎｃｙ ｄｉｖｉｓｉｏｎ ｄｕｐｌｅｘ）無線フレームを使用するサービングセルのように、互いに異なる無線フレーム構造を使用するサービングセルがアグリゲーションされることができる。即ち、端末に互いに異なるタイプの無線フレームを使用する複数のサービングセルが割り当てられることができる。または、同じタイプの無線フレームを使用する複数のサービングセルがアグリゲーションされても、各サービングセルのＵＬ−ＤＬ設定（ｕｐｌｉｎｋ−ｄｏｗｎｌｉｎｋ ｃｏｎｆｉｇｕｒａｔｉｏｎ）が異なることがある。
【０００８】
例えば、端末にＴＤＤフレームを使用するＴＤＤセルがプライマリセルに設定され、ＦＤＤフレームを使用するＦＤＤセルがセカンダリセルに設定されることができる。この場合、端末がＦＤＤセルのダウンリンクサブフレームでデータを受信した時、ＴＤＤセルのどのアップリンクサブフレームで前記データに対するＡＣＫ/ＮＡＣＫを送信するかが問題になり得る。例えば、ＡＣＫ/ＮＡＣＫを送信する時点を前記ＴＤＤセルのＡＣＫ/ＮＡＣＫタイミングにより決定するとしても、この方法は、ＦＤＤセルの一部ダウンリンクサブフレームに対しては適用することができないという問題がある。
【０００９】
ＴＤＤセルのＴＤＤフレームでは、アップリンクサブフレームが連続的に設定されることができない。即ち、ダウンリンクサブフレームとアップリンクサブフレームが互いに異なる時間に混在する。それに対し、ＦＤＤセルのＦＤＤフレームでは、ダウンリンクサブフレームとアップリンクサブフレームが互いに異なる周波数帯域で連続して設定される。したがって、ＴＤＤフレームのアップリンクサブフレームと同じ時間に存在するＦＤＤフレームのダウンリンクサブフレームでデータを受信した時、前記データに対するＡＣＫ/ＮＡＣＫをいつ送信するかが問題になり得る。
【発明の概要】
【発明が解決しようとする課題】
【００１０】
本発明が解決しようとする技術的課題は、互いに異なるタイプの無線フレームを使用する複数のサービングセルがアグリゲーションされた端末のＡＣＫ/ＮＡＣＫ送信方法及び装置を提供することにある。
【課題を解決するための手段】
【００１１】
一側面において、プライマリセルとセカンダリセルがアグリゲーションされた端末のＡＣＫ/ＮＡＣＫ（ａｃｋｎｏｗｌｅｄｇｅｍｅｎｔ/ｎｏｔ−ａｃｋｎｏｗｌｅｌｄｇｅｍｅｎｔ）送信方法を提供する。前記方法は、前記セカンダリセルのダウンリンクサブフレームでデータを受信し、及び前記データに対するＡＣＫ/ＮＡＣＫを前記プライマリセルのアップリンクサブフレームで送信し、前記ダウンリンクサブフレームと前記アップリンクサブフレームとの間の時間区間は、第１のＨＡＲＱ（ｈｙｂｒｉｄ ａｕｔｏｍａｔｉｃ ｒｅｐｅａｔ ｒｅｑｕｅｓｔ）タイミング及び第２のＨＡＲＱタイミングにより決定され、前記第１のＨＡＲＱタイミングは、前記プライマリセルが単独で使われる場合に適用されるＨＡＲＱタイミングであり、第２のＨＡＲＱタイミングは、前記第１のＨＡＲＱタイミングに追加されるＨＡＲＱタイミングであることを特徴とする。
【００１２】
他の側面で提供される端末は、無線信号を送信及び受信するＲＦ（ｒａｄｉｏ ｆｒｅｑｕｅｎｃｙ）部；及び、前記ＲＦ部と連結されるプロセッサ；を含み、前記プロセッサは、前記セカンダリセルのダウンリンクサブフレームでデータを受信し、及び前記データに対するＡＣＫ/ＮＡＣＫを前記プライマリセルのアップリンクサブフレームで送信し、前記ダウンリンクサブフレームと前記アップリンクサブフレームとの間の時間区間は、第１のＨＡＲＱ（ｈｙｂｒｉｄ ａｕｔｏｍａｔｉｃ ｒｅｐｅａｔ ｒｅｑｕｅｓｔ）タイミングまたは第２のＨＡＲＱタイミングにより決定され、前記第１のＨＡＲＱタイミングは、前記プライマリセルが単独で使われる場合に適用されるＨＡＲＱタイミングであり、第２のＨＡＲＱタイミングは、前記第１のＨＡＲＱタイミングに追加されるＨＡＲＱタイミングであることを特徴とする。
【発明の効果】
【００１３】
互いに異なるタイプの無線フレームを使用する複数のサービングセルがアグリゲーションされても、端末のＡＣＫ/ＮＡＣＫ送信が可能なため、効率的にＨＡＲＱプロセスを運用することができる。
【図面の簡単な説明】
【００１４】
【図１】ＦＤＤ無線フレームの構造を示す。
【図２】ＴＤＤ無線フレームの構造を示す。
【図３】一つのダウンリンクスロットに対するリソースグリッド（ｒｅｓｏｕｒｃｅ ｇｒｉｄ）の一例を示す。
【図４】ダウンリンクサブフレーム（ＤＬサブフレーム）の構造を示す。
【図５】アップリンクサブフレームの構造を示す。
【図６】ノーマルＣＰでＰＵＣＣＨフォーマット１ｂのチャネル構造を示す。
【図７】ノーマルＣＰでＰＵＣＣＨフォーマット２/２ａ/２ｂのチャネル構造を示す。
【図８】ＰＵＣＣＨフォーマット３のチャネル構造を例示する。
【図９】３ＧＰＰ ＬＴＥにおいて、一つのセルで実行されるダウンリンクＨＡＲＱを例示する。
【図１０】単一搬送波システムとキャリアアグリゲーションシステムの比較例である。
【図１１】無線通信システムにおいて、複数のサービングセルが互いに異なるタイプの無線フレームを使用する一例を示す。
【図１２】無線通信システムにおいて、複数のサービングセルが互いに異なるタイプの無線フレームを使用する他の例を示す。
【図１３】前記第１の実施例によるＨＡＲＱタイミングと第２の実施例によるＨＡＲＱタイミングを示す。
【図１４】前記第１の実施例によるＨＡＲＱタイミングと第２の実施例によるＨＡＲＱタイミングを示す。
【図１５】前記第１の実施例によるＨＡＲＱタイミングと第２の実施例によるＨＡＲＱタイミングを示す。
【図１６】前記第１の実施例によるＨＡＲＱタイミングと第２の実施例によるＨＡＲＱタイミングを示す。
【図１７】前記第１の実施例によるＨＡＲＱタイミングと第２の実施例によるＨＡＲＱタイミングを示す。
【図１８】前記第１の実施例によるＨＡＲＱタイミングと第２の実施例によるＨＡＲＱタイミングを示す。
【図１９】前記第１の実施例によるＨＡＲＱタイミングと第２の実施例によるＨＡＲＱタイミングを示す。
【図２０】前記第１の実施例によるＨＡＲＱタイミングと第２の実施例によるＨＡＲＱタイミングを示す。
【図２１】本発明の一実施例に係るＡＣＫ/ＮＡＣＫ送信方法を示す。
【図２２】本発明の実施例が具現される無線機器を示すブロック図である。
【発明を実施するための形態】
【００１５】
端末（Ｕｓｅｒ Ｅｑｕｉｐｍｅｎｔ、ＵＥ）は、固定されてもよいし、移動性を有してもよく、ＭＳ（ｍｏｂｉｌｅ ｓｔａｔｉｏｎ）、ＭＴ（ｍｏｂｉｌｅ ｔｅｒｍｉｎａｌ）、ＵＴ（ｕｓｅｒ ｔｅｒｍｉｎａｌ）、ＳＳ（ｓｕｂｓｃｒｉｂｅｒ ｓｔａｔｉｏｎ）、無線機器（ｗｉｒｅｌｅｓｓ ｄｅｖｉｃｅ）、ＰＤＡ（ｐｅｒｓｏｎａｌ ｄｉｇｉｔａｌ ａｓｓｉｓｔａｎｔ）、無線モデム（ｗｉｒｅｌｅｓｓ ｍｏｄｅｍ）、携帯機器（ｈａｎｄｈｅｌｄ ｄｅｖｉｃｅ）等、他の用語で呼ばれることもある。
【００１６】
基地局は、一般的に端末と通信する固定局（ｆｉｘｅｄ ｓｔａｔｉｏｎ）を意味し、ｅＮＢ（ｅｖｏｌｖｅｄ−ＮｏｄｅＢ）、ＢＴＳ（Ｂａｓｅ Ｔｒａｎｓｃｅｉｖｅｒ Ｓｙｓｔｅｍ）、アクセスポイント（Ａｃｃｅｓｓ Ｐｏｉｎｔ）等、他の用語で呼ばれることもある。
【００１７】
基地局から端末への通信をダウンリンク（ｄｏｗｎｌｉｎｋ：ＤＬ）といい、端末から基地局への通信をアップリンク（ｕｐｌｉｎｋ：ＵＬ）という。基地局及び端末を含む無線通信システムは、ＴＤＤ（ｔｉｍｅ ｄｉｖｉｓｉｏｎ ｄｕｐｌｅｘ）システムまたはＦＤＤ（ｆｒｅｑｕｅｎｃｙ ｄｉｖｉｓｉｏｎ ｄｕｐｌｅｘ）システムである。ＴＤＤシステムは、同じ周波数帯域で互いに異なる時間を使用してアップリンク及びダウンリンク送受信を実行する無線通信システムである。ＦＤＤシステムは、互いに異なる周波数帯域を使用し、同時にアップリンク及びダウンリンク送受信が可能な無線通信システムである。無線通信システムは、無線フレームを使用して通信を実行することができる。
【００１８】
図１は、ＦＤＤ無線フレームの構造を示す。
【００１９】
ＦＤＤ無線フレーム（ｒａｄｉｏ ｆｒａｍｅ）は、１０個のサブフレーム（ｓｕｂｆｒａｍｅ）を含み、一つのサブフレームは、２個の連続的なスロット（ｓｌｏｔ）を含む。無線フレーム内に含まれるスロットは、０〜１９のインデックスが付けられる。一つのサブフレームの送信にかかる時間をＴＴＩ（ｔｒａｎｓｍｉｓｓｉｏｎ ｔｉｍｅ ｉｎｔｅｒｖａｌ）といい、ＴＴＩは、最小スケジューリング単位（ｍｉｎｉｍｕｍ ｓｃｈｅｄｕｌｉｎｇ ｕｎｉｔ）である。例えば、一つのサブフレームの長さは１ｍｓであり、一つのスロットの長さは０.５ｍｓである。以下、ＦＤＤ無線フレームをＦＤＤフレームと略称する。
【００２０】
図２は、ＴＤＤ無線フレームの構造を示す。
【００２１】
図２を参照すると、ＴＤＤで使用するＴＤＤ無線フレームにはＤＬ（ｄｏｗｎｌｉｎｋ）サブフレームとＵＬ（Ｕｐｌｉｎｋ）サブフレームが共存する。表１は、無線フレームのＵＬ−ＤＬ設定（ＵＬ−ＤＬ ｃｏｎｆｉｇｕｒａｔｉｏｎ）の一例を示す。
【００２２】
【表１】
0006306164.tif 000002
【００２３】
表１において、‘Ｄ’はＤＬサブフレームを示し、‘Ｕ’はＵＬサブフレームを示し、‘Ｓ’はスペシャルサブフレーム（ｓｐｅｃｉａｌ ｓｕｂｆｒａｍｅ）を示す。基地局からＵＬ−ＤＬ設定を受信すると、端末は、無線フレームで各サブフレームがＤＬサブフレームであるか、またはＵＬサブフレームであるかを知ることができる。以下、ＵＬ−ＤＬ設定Ｎ（Ｎは、０〜６のうちいずれか一つ）は、前記表１を参照することができる。
【００２４】
ＴＤＤフレームで、インデックス＃１とインデックス＃６を有するサブフレームは、スペシャルサブフレームであり、スペシャルサブフレームは、ＤｗＰＴＳ（Ｄｏｗｎｌｉｎｋ Ｐｉｌｏｔ Ｔｉｍｅ Ｓｌｏｔ）、ＧＰ（Ｇｕａｒｄ Ｐｅｒｉｏｄ）及びＵｐＰＴＳ（Ｕｐｌｉｎｋ Ｐｉｌｏｔ Ｔｉｍｅ Ｓｌｏｔ）を含む。ＤｗＰＴＳは、端末での初期セル探索、同期化またはチャネル推定に使われる。ＵｐＰＴＳは、基地局でのチャネル推定と端末のアップリンク送信同期を合わせるのに使われる。ＧＰは、アップリンクとダウンリンクとの間にダウンリンク信号の多重経路遅延によりアップリンクで発生する干渉を除去するための区間である。以下、ＴＤＤ無線フレームをＴＤＤフレームと略称する。
【００２５】
図３は、一つのダウンリンクスロットに対するリソースグリッド（ｒｅｓｏｕｒｃｅ ｇｒｉｄ）の一例を示す。
【００２６】
図３を参照すると、ダウンリンクスロットは、時間領域で複数のＯＦＤＭ（ｏｒｔｈｏｇｏｎａｌ ｆｒｅｑｕｅｎｃｙ ｄｉｖｉｓｉｏｎ ｍｕｌｔｉｐｌｅｘｉｎｇ）シンボルを含み、周波数領域でＮRB個のリソースブロック（ＲＢ；Ｒｅｓｏｕｒｃｅ Ｂｌｏｃｋ）を含むことができる。リソースブロックは、リソース割当単位であり、時間領域で一つのスロットを含み、周波数領域で複数の連続する副搬送波（ｓｕｂｃａｒｒｉｅｒ）を含む。ダウンリンクスロットに含まれるリソースブロックの数ＮRBは、セルで設定されるダウンリンク送信帯域幅（ｂａｎｄｗｉｄｔｈ）ＮDLに従属する。例えば、ＬＴＥシステムにおいて、ＮRBは、６〜１１０のうちいずれか一つである。アップリンクスロットの構造も前記ダウンリンクスロットの構造と同じである。
【００２７】
リソースグリッド上の各要素（ｅｌｅｍｅｎｔ）をリソース要素（ｒｅｓｏｕｒｃｅ ｅｌｅｍｅｎｔ、ＲＥ）という。リソースグリッド上のリソース要素は、スロット内のインデックス対（ｐａｉｒ）（ｋ,ｌ）により識別されることができる。ここで、ｋ（ｋ＝０,...,ＮRB×１２−１）は、周波数領域内の副搬送波インデックスであり、ｌ（ｌ＝０,...,６）は、時間領域内のＯＦＤＭシンボルインデックスである。
【００２８】
図３において、一つのリソースブロックは、時間領域で７ＯＦＤＭシンボルと、周波数領域で１２副搬送波とで構成されることで、７×１２リソース要素を含むと例示的に記述するが、リソースブロック内のＯＦＤＭシンボルの数と副搬送波の数は、これに制限されるものではない。ＯＦＤＭシンボルの数と副搬送波の数は、ＣＰの長さ、周波数間隔（ｆｒｅｑｕｅｎｃｙ ｓｐａｃｉｎｇ）などによって多様に変更されることができる。一つのＯＦＤＭシンボルで、副搬送波の数は、１２８、２５６、５１２、１０２４、１５３６及び２０４８のうち一つを選定して使用することができる。
【００２９】
図４は、ダウンリンクサブフレーム（ＤＬサブフレーム）の構造を示す。
【００３０】
図４を参照すると、ＤＬサブフレームは、時間領域で制御領域（ｃｏｎｔｒｏｌ ｒｅｇｉｏｎ）とデータ領域（ｄａｔａ ｒｅｇｉｏｎ）とに分けられる。制御領域は、サブフレーム内の第１のスロットの前方部の最大３個（場合によって、最大４個）のＯＦＤＭシンボルを含むが、制御領域に含まれるＯＦＤＭシンボルの個数は変わることができる。制御領域には、ＰＤＣＣＨ（ｐｈｙｓｉｃａｌ ｄｏｗｎｌｉｎｋ ｃｏｎｔｒｏｌ ｃｈａｎｎｅｌ）及び他の制御チャネルが割り当てられ、データ領域には、ＰＤＳＣＨ（ｐｈｙｓｉｃａｌ ｄｏｗｎｌｉｎｋ ｓｈａｒｅｄ ｃｈａｎｎｅｌ）が割り当てられる。
【００３１】
３ＧＰＰ ＴＳ ３６.２１１ Ｖ８.７.０に開示されているように、３ＧＰＰ ＬＴＥにおいて、物理チャネルは、データチャネルであるＰＤＳＣＨ（Ｐｈｙｓｉｃａｌ Ｄｏｗｎｌｉｎｋ Ｓｈａｒｅｄ Ｃｈａｎｎｅｌ）とＰＵＳＣＨ（Ｐｈｙｓｉｃａｌ Ｕｐｌｉｎｋ Ｓｈａｒｅｄ Ｃｈａｎｎｅｌ）、及び制御チャネルであるＰＤＣＣＨ（Ｐｈｙｓｉｃａｌ Ｄｏｗｎｌｉｎｋ Ｃｏｎｔｒｏｌ Ｃｈａｎｎｅｌ）、ＰＣＦＩＣＨ（Ｐｈｙｓｉｃａｌ Ｃｏｎｔｒｏｌ Ｆｏｒｍａｔ Ｉｎｄｉｃａｔｏｒ Ｃｈａｎｎｅｌ）、ＰＨＩＣＨ（Ｐｈｙｓｉｃａｌ Ｈｙｂｒｉｄ−ＡＲＱ Ｉｎｄｉｃａｔｏｒ Ｃｈａｎｎｅｌ）、ＰＵＣＣＨ（Ｐｈｙｓｉｃａｌ Ｕｐｌｉｎｋ Ｃｏｎｔｒｏｌ Ｃｈａｎｎｅｌ）に分けられる。
【００３２】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ ｆｏｒｍａｔ ｉｎｄｉｃａｔｏｒ）を伝送する。端末は、まず、ＰＣＦＩＣＨ上にＣＦＩを受信した後、ＰＤＣＣＨをモニタリングする。ＰＤＣＣＨと違って、ＰＣＦＩＣＨは、ブラインドデコーディング（ｂｌｉｎｄ ｄｅｃｏｄｉｎｇ）を使用せずに、サブフレームの固定されたＰＣＦＩＣＨリソースを介して送信される。
【００３３】
ＰＨＩＣＨは、アップリンクＨＡＲＱ（ｈｙｂｒｉｄ ａｕｔｏｍａｔｉｃ ｒｅｐｅａｔ ｒｅｑｕｅｓｔ）のためのＡＣＫ（ａｃｋｎｏｗｌｅｄｇｅｍｅｎｔ）/ＮＡＣＫ（ｎｏｔ−ａｃｋｎｏｗｌｅｄｇｅｍｅｎｔ）信号を伝送する。即ち、端末により送信されるＰＵＳＣＨ上のＵＬ（ｕｐｌｉｎｋ）データに対するＡＣＫ/ＮＡＣＫ信号は、ＰＨＩＣＨ上に基地局により送信される。
【００３４】
ＰＢＣＨ（Ｐｈｙｓｉｃａｌ Ｂｒｏａｄｃａｓｔ Ｃｈａｎｎｅｌ）は、無線フレームの１番目のサブフレームの第２のスロットの前方部の４個のＯＦＤＭシンボルで送信される。ＰＢＣＨは、端末が基地局と通信するときに必須なシステム情報を伝送し、ＰＢＣＨを介して送信されるシステム情報をＭＩＢ（ｍａｓｔｅｒ ｉｎｆｏｒｍａｔｉｏｎ ｂｌｏｃｋ）という。これと比較して、ＰＤＣＣＨにより指示されるＰＤＳＣＨ上に送信されるシステム情報をＳＩＢ（ｓｙｓｔｅｍ ｉｎｆｏｒｍａｔｉｏｎ ｂｌｏｃｋ）という。
【００３５】
ＰＤＣＣＨを介して送信される制御情報をダウンリンク制御情報（ｄｏｗｎｌｉｎｋ ｃｏｎｔｒｏｌ ｉｎｆｏｒｍａｔｉｏｎ、ＤＣＩ）という。ＤＣＩは、ＰＤＳＣＨのリソース割当（これをＤＬグラント（ｄｏｗｎｌｉｎｋ ｇｒａｎｔ）ともいう）、ＰＵＳＣＨのリソース割当（これをＵＬグラント（ｕｐｌｉｎｋ ｇｒａｎｔ）ともいう）、任意のＵＥグループ内の個別ＵＥに対する送信パワー制御命令の集合及び/またはＶｏＩＰ（Ｖｏｉｃｅ ｏｖｅｒ Ｉｎｔｅｒｎｅｔ Ｐｒｏｔｏｃｏｌ）の活性化を含むことができる。ＤＣＩは、多様なフォーマット（ｆｏｒｍａｔ）を有し、これに対しては後述する。
【００３６】
サブフレーム内の制御領域は、複数のＣＣＥ（ｃｏｎｔｒｏｌ ｃｈａｎｎｅｌ ｅｌｅｍｅｎｔ）を含む。ＣＣＥは、無線チャネルの状態による符号化率をＰＤＣＣＨに提供するために使われる論理的割当単位であって、複数のＲＥＧ（ｒｅｓｏｕｒｃｅ ｅｌｅｍｅｎｔ ｇｒｏｕｐ）に対応される。ＲＥＧは、複数のリソース要素（ｒｅｓｏｕｒｃｅ ｅｌｅｍｅｎｔ）を含む。ＣＣＥの数とＣＣＥにより提供される符号化率との連関関係によって、ＰＤＣＣＨのフォーマット及び可能なＰＤＣＣＨのビット数が決定される。
【００３７】
一つのＲＥＧは、４個のＲＥを含み、一つのＣＣＥは、９個のＲＥＧを含む。一つのＰＤＣＣＨを構成するために｛１,２,４,８｝個のＣＣＥを使用することができ、｛１,２,４,８｝の各々の要素をＣＣＥアグリゲーションレベル（ａｇｇｒｅｇａｔｉｏｎ ｌｅｖｅｌ）という。
【００３８】
ＰＤＤＣＨの送信に使われるＣＣＥの個数は、基地局がチャネル状態によって決定する。
【００３９】
３ＧＰＰ ＬＴＥでは、ＰＤＣＣＨの検出のためにブラインドデコーディング（ｂｌｉｎｄ ｄｅｃｏｄｉｎｇ）を使用する。ブラインドデコーディングは、受信されるＰＤＣＣＨ（これをＰＤＣＣＨ候補（ｃａｎｄｉｄａｔｅ）という）のＣＲＣ（ｃｙｃｌｉｃ ｒｅｄｕｎｄａｎｃｙ ｃｈｅｃｋ）に所望の識別子をデマスキング（ｄｅ−ｍａｓｋｉｎｇ）し、ＣＲＣエラーをチェックすることで該当ＰＤＣＣＨが自分の制御チャネルかどうかを確認する方式である。端末は、自分のＰＤＣＣＨが制御領域内でどの位置でどんなＣＣＥアグリゲーションレベルやＤＣＩフォーマットを使用して送信されるかを知らない。
【００４０】
一つのサブフレーム内で複数のＰＤＣＣＨが送信されることができる。端末は、サブフレームごとに複数のＰＤＣＣＨをモニタリングする。ここで、モニタリングとは、端末がモニタリングされるＰＤＣＣＨフォーマットによってＰＤＣＣＨのデコーディングを試みることである。
【００４１】
３ＧＰＰ ＬＴＥでは、ブラインドデコーディングによる負担を減らすために、検索空間（ｓｅａｒｃｈ ｓｐａｃｅ）を使用する。検索空間は、ＰＤＣＣＨのためのＣＣＥのモニタリングセット（ｍｏｎｉｔｏｒｉｎｇ ｓｅｔ）ということができる。端末は、該当する検索空間内でＰＤＣＣＨをモニタリングする。
【００４２】
検索空間は、共用検索空間（ｃｏｍｍｏｎ ｓｅａｒｃｈ ｓｐａｃｅ：ＣＳＳ）と端末特定検索空間（ＵＥ−ｓｐｅｃｉｆｉｃ ｓｅａｒｃｈ ｓｐａｃｅ：ＵＳＳ）とに分けられる。共用検索空間は、共用制御情報を有するＰＤＣＣＨを検索する空間であって、ＣＣＥインデックス０〜１５までの１６個のＣＣＥで構成され、｛４,８｝のＣＣＥアグリゲーションレベルを有するＰＤＣＣＨをサポートする。しかし、共用検索空間にも端末特定情報を伝送するＰＤＣＣＨ（ＤＣＩフォーマット０、１Ａ）が送信されることもできる。端末特定検索空間は、｛１,２,４,８｝のＣＣＥアグリゲーションレベルを有するＰＤＣＣＨをサポートする。
【００４３】
検索空間の開始点は、共用検索空間と端末特定検索空間が異なるように定義される。共用検索空間の開始点は、サブフレームに関係なく固定されているが、端末特定検索空間の開始点は、端末識別子（例えば、Ｃ−ＲＮＴＩ）、ＣＣＥアグリゲーションレベル及び/または無線フレーム内のスロット番号によってサブフレームごとに変わることができる。端末特定検索空間の開始点が共用検索空間内にある場合、端末特定検索空間と共用検索空間は、重複（ｏｖｅｒｌａｐ）されることができる。
【００４４】
図５は、アップリンクサブフレームの構造を示す。
【００４５】
図５を参照すると、アップリンクサブフレームは、周波数領域で、アップリンク制御情報を伝送するＰＵＣＣＨ（Ｐｈｙｓｉｃａｌ Ｕｐｌｉｎｋ Ｃｏｎｔｒｏｌ Ｃｈａｎｎｅｌ）が割り当てられる制御領域（ｃｏｎｔｒｏｌ ｒｅｇｉｏｎ）と、ユーザデータを伝送するＰＵＳＣＨ（Ｐｈｙｓｉｃａｌ Ｕｐｌｉｎｋ Ｓｈａｒｅｄ Ｃｈａｎｎｅｌ）が割り当てられるデータ領域（ｄａｔａ ｒｅｇｉｏｎ）と、に分けられる。
【００４６】
ＰＵＣＣＨは、サブフレームでＲＢ対（ｐａｉｒ）で割り当てられる。ＲＢ対に属するＲＢは、第１のスロットと第２のスロットの各々で互いに異なる副搬送波を占める。ＲＢ対は、同じリソースブロックインデックスｍを有する。
【００４７】
３ＧＰＰ ＴＳ ３６.２１１ Ｖ８.７.０によると、ＰＵＣＣＨは、多重フォーマットをサポートする。ＰＵＣＣＨフォーマットに従属した変調方式（ｍｏｄｕｌａｔｉｏｎ ｓｃｈｅｍｅ）によってサブフレーム当たり送信されるビットの数は変わることができる。
【００４８】
以下の表２は、ＰＵＣＣＨフォーマットによる変調方式（Ｍｏｄｕｌａｔｉｏｎ Ｓｃｈｅｍｅ）及びサブフレーム当たりビット数の例を示す。
【００４９】
【表２】
0006306164.tif 000003
【００５０】
ＰＵＣＣＨフォーマット１はＳＲ（Ｓｃｈｅｄｕｌｉｎｇ Ｒｅｑｕｅｓｔ）の送信に使われ、ＰＵＣＣＨフォーマット１ａ/１ｂはＨＡＲＱのためのＡＣＫ/ＮＡＣＫ信号の送信に使われ、ＰＵＣＣＨフォーマット２はＣＱＩの送信に使われ、ＰＵＣＣＨフォーマット２ａ/２ｂはＣＱＩ及びＡＣＫ/ＮＡＣＫ信号の同時（ｓｉｍｕｌｔａｎｅｏｕｓ）送信に使われる。サブフレームで、ＡＣＫ/ＮＡＣＫ信号のみを送信する時、ＰＵＣＣＨフォーマット１ａ/１ｂが使われ、ＳＲが単独に送信される時、ＰＵＣＣＨフォーマット１が使われる。ＳＲとＡＣＫ/ＮＡＣＫを同時に送信する時は、ＰＵＣＣＨフォーマット１が使われ、ＳＲに割り当てられたリソースにＡＣＫ/ＮＡＣＫ信号を変調して送信する。
【００５１】
全てのＰＵＣＣＨフォーマットは、各ＯＦＤＭシンボルでシーケンスの循環シフト（ｃｙｃｌｉｃ ｓｈｉｆｔ、ＣＳ）を使用する。循環シフトされたシーケンスは、基本シーケンス（ｂａｓｅ ｓｅｑｕｅｎｃｅ）を特定ＣＳ量（ｃｙｃｌｉｃ ｓｈｉｆｔ ａｍｏｕｎｔ）ほど循環シフトさせて生成される。特定ＣＳ量は、循環シフトインデックス（ＣＳ ｉｎｄｅｘ）により指示される。
【００５２】
基本シーケンスｒu（ｎ）を定義した一例は、以下の数式１の通りである。
【００５３】
【数１】
0006306164.tif 000004
【００５４】
ここで、ｕはルートインデックス（ｒｏｏｔ ｉｎｄｅｘ）であり、ｎは要素インデックスであり、０≦ｎ≦Ｎ−１、Ｎは基本シーケンスの長さである。ｂ（ｎ）は、３ＧＰＰ ＴＳ ３６.２１１ Ｖ８.７.０の５.５節で定義されている。
【００５５】
シーケンスの長さは、シーケンスに含まれる要素（ｅｌｅｍｅｎｔ）の数と同じである。ｕは、セルＩＤ（ｉｄｅｎｔｉｆｉｅｒ）、無線フレーム内のスロット番号などにより決められる。
【００５６】
基本シーケンスが周波数領域で一つのリソースブロックにマッピング（ｍａｐｐｉｎｇ）されるとする時、一つのリソースブロックが１２副搬送波を含むため、基本シーケンスの長さＮは１２になる。異なるルートインデックスによって異なる基本シーケンスが定義される。
【００５７】
基本シーケンスｒ（ｎ）を以下の数式２のように循環シフトさせ、循環シフトされたシーケンスｒ（ｎ,Ｉcs）を生成することができる。
【００５８】
【数２】
0006306164.tif 000005
【００５９】
ここで、Ｉcsは、ＣＳ量を示す循環シフトインデックスである（０≦Ｉcs≦Ｎ−１）。
【００６０】
基本シーケンスの可用（ａｖａｉｌａｂｌｅ）循環シフトインデックスは、ＣＳ間隔（ＣＳ ｉｎｔｅｒｖａｌ）によって基本シーケンスから得る（ｄｅｒｉｖｅ）ことができる循環シフトインデックスを意味する。例えば、基本シーケンスの長さが１２であり、ＣＳ間隔が１の場合、基本シーケンスの可用循環シフトインデックスの総個数は１２になる。または、基本シーケンスの長さが１２であり、ＣＳ間隔が２の場合、基本シーケンスの可用循環シフトインデックスの総数は６になる。
【００６１】
図６は、ノーマルＣＰでＰＵＣＣＨフォーマット１ｂのチャネル構造を示す。
【００６２】
一つのスロットは７個のＯＦＤＭシンボルを含み、３個のＯＦＤＭシンボルは基準信号のためのＲＳ（Ｒｅｆｅｒｅｎｃｅ Ｓｉｇｎａｌ）ＯＦＤＭシンボルになり、４個のＯＦＤＭシンボルはＡＣＫ/ＮＡＣＫ信号のためのデータＯＦＤＭシンボルになる。
【００６３】
ＰＵＣＣＨフォーマット１ｂでは、エンコーディングされた２ビットＡＣＫ/ＮＡＣＫ信号をＱＰＳＫ（Ｑｕａｄｒａｔｕｒｅ Ｐｈａｓｅ Ｓｈｉｆｔ Ｋｅｙｉｎｇ）変調して変調シンボルｄ（０）が生成される。
【００６４】
循環シフトインデックスＩcsは、無線フレーム内のスロット番号（ｎs）及び/またはスロット内のシンボルインデックス（ｌ）によって変わることができる。
【００６５】
ノーマルＣＰで、一つのスロットにＡＣＫ/ＮＡＣＫ信号の送信のために４個のデータＯＦＤＭシンボルがあるため、各データＯＦＤＭシンボルで対応する循環シフトインデックスをＩcs0、Ｉcs1、Ｉcs2、Ｉcs3と仮定する。
【００６６】
変調シンボルｄ（０）は、循環シフトされたシーケンスｒ（ｎ,Ｉcs）に拡散される。スロットで（ｉ＋１）番目のＯＦＤＭシンボルに対応する１次元拡散されたシーケンスをｍ（ｉ）とする時、
【００６７】
｛ｍ（０）,ｍ（１）,ｍ（２）,ｍ（３）｝＝｛ｄ（０）ｒ（ｎ,Ｉcs0）,ｄ（０）ｒ（ｎ,Ｉcs1）,ｄ（０）ｒ（ｎ,Ｉcs2）,ｄ（０）ｒ（ｎ,Ｉcs3）｝で表すことができる。
【００６８】
端末容量を増加させるために、１次元拡散されたシーケンスは、直交シーケンスを利用して拡散されることができる。拡散係数（ｓｐｒｅａｄｉｎｇ ｆａｃｔｏｒ）Ｋ＝４である直交シーケンスｗi（ｋ）（ｉは、シーケンスインデックス、０≦ｋ≦Ｋ−１）として、下記のようなシーケンスを使用する。
【００６９】
【表３】
0006306164.tif 000006
【００７０】
拡散係数Ｋ＝３である直交シーケンスｗi（ｋ）（ｉは、シーケンスインデックス、０≦ｋ≦Ｋ−１）として、下記のようなシーケンスを使用する。
【００７１】
【表４】
0006306164.tif 000007
【００７２】
スロット毎に異なる拡散係数を使用することができる。
【００７３】
したがって、任意の直交シーケンスインデックスｉが与えられる時、２次元拡散されたシーケンス｛ｓ（０）,ｓ（１）,ｓ（２）,ｓ（３）｝は、下記のように示すことができる。
【００７４】
｛ｓ（０）,ｓ（１）,ｓ（２）,ｓ（３）｝＝｛ｗi（０）ｍ（０）,ｗi（１）ｍ（１）,ｗi（２）ｍ（２）,ｗi（３）ｍ（３）｝
【００７５】
２次元拡散されたシーケンス｛ｓ（０）,ｓ（１）,ｓ（２）,ｓ（３）｝は、ＩＦＦＴ（ｉｎｖｅｒｓｅ ｆａｓｔ Ｆｏｕｒｉｅｒ ｔｒａｎｓｆｏｒｍ）が実行された後、対応するＯＦＤＭシンボルで送信される。それによって、ＡＣＫ/ＮＡＣＫ信号がＰＵＣＣＨ上に送信される。
【００７６】
ＰＵＣＣＨフォーマット１ｂの基準信号も基本シーケンスｒ（ｎ）を循環シフトさせた後、直交シーケンスに拡散させて送信される。３個のＲＳ ＯＦＤＭシンボルに対応する循環シフトインデックスをＩcs4、Ｉcs5、Ｉcs6とする時、３個の循環シフトされたシーケンスｒ（ｎ,Ｉcs4）、ｒ（ｎ,Ｉcs5）、ｒ（ｎ,Ｉcs6）を得ることができる。この３個の循環シフトされたシーケンスは、Ｋ＝３である直交シーケンスｗRSi（ｋ）に拡散される。
【００７７】
直交シーケンスインデックスｉ、循環シフトインデックスＩcs及びリソースブロックインデックスｍは、ＰＵＣＣＨを構成するために必要なパラメータであり、ＰＵＣＣＨ（または、端末）を区分するときに使われるリソースである。可用循環シフトの個数が１２であり、可用な直交シーケンスインデックスの個数が３の場合、総３６個の端末に対するＰＵＣＣＨが一つのリソースブロックに多重化されることができる。
【００７８】
３ＧＰＰ ＬＴＥでは、端末がＰＵＣＣＨを構成するための前記３個のパラメータを取得するために、リソースインデックスｎ(1)PUCCHが定義される。リソースインデックスｎ(1)PUCCH＝ｎCCE＋Ｎ(1)PUCCHに定義され、ｎCCEは、対応するＰＤＣＣＨ（即ち、ＡＣＫ/ＮＡＣＫ信号に対応するダウンリンクデータをスケジューリングするダウンリンクリソース割当（ＤＣＩ）を含むＰＤＣＣＨ）の送信に使われる１番目のＣＣＥの番号であり、Ｎ(1)PUCCHは、基地局が端末に上位階層メッセージを介して知らせるパラメータである。
【００７９】
ＡＣＫ/ＮＡＣＫ信号の送信に使われる時間、周波数、コードリソースをＡＣＫ/ＮＡＣＫリソースまたはＰＵＣＣＨリソースという。前述したように、ＡＣＫ/ＮＡＣＫ信号をＰＵＣＣＨ上に送信するために必要なＡＣＫ/ＮＡＣＫリソースのインデックス（ＡＣＫ/ＮＡＣＫリソースインデックスまたはＰＵＣＣＨインデックスという）は、直交シーケンスインデックスｉ、循環シフトインデックスＩcs、リソースブロックインデックスｍ及び前記３個のインデックスを求めるためのインデックスのうち少なくともいずれか一つで表現されることができる。ＡＣＫ/ＮＡＣＫリソースは、直交シーケンス、循環シフト、リソースブロック及びこれらの組合せのうち少なくともいずれか一つを含むことができる。
【００８０】
図７は、ノーマルＣＰでＰＵＣＣＨフォーマット２/２ａ/２ｂのチャネル構造を示す。
【００８１】
図７を参照すると、ノーマルＣＰで、ＯＦＤＭシンボル１及び５（即ち、２番目及び６番目のＯＦＤＭシンボル）は参照信号（ＲＳ）のために使われ、残りのＯＦＤＭシンボルはＣＱＩ送信のために使われる。拡張ＣＰでは、ＯＦＤＭシンボル３（４番目のシンボル）がＲＳのために使われる。
【００８２】
１０個のＣＱＩ情報ビットが、例えば、１/２コードレート（ｃｏｄｅ ｒａｔｅ）でチャネルコーディングされ、２０個のコーディングされたビットになる。チャネルコーディングには、リードマラー（Ｒｅｅｄ−Ｍｕｌｌｅｒ）コードが使われることができる。また、スクランブリング（ｓｃｒａｍｂｌｉｎｇ）された後、ＱＰＳＫコンステレーションマッピング（ｃｏｎｓｔｅｌｌａｔｉｏｎ ｍａｐｐｉｎｇ）されることで、ＱＰＳＫ変調シンボルが生成される（スロット０で、ｄ（０）乃至ｄ（４））。各ＱＰＳＫ変調シンボルは、長さ１２である基本ＲＳシーケンス（ｒ（ｎ））の循環シフトに変調された後にＩＦＦＴされ、サブフレーム内の１０個のＳＣ−ＦＤＭＡシンボルの各々で送信される。均一に離隔された１２個の循環シフトは、１２個の互いに異なる端末が同じＰＵＣＣＨリソースブロックで直交に多重化されるようにする。ＯＦＤＭシンボル１及び５に適用されるＲＳシーケンスは、長さ１２である基本ＲＳシーケンス（ｒ（ｎ））が使われることができる。
【００８３】
図８は、ＰＵＣＣＨフォーマット３のチャネル構造を例示する。
【００８４】
図８を参照すると、ＰＵＣＣＨフォーマット３は、ブロックスプレッディング（ｂｌｏｃｋ ｓｐｒｅａｄｉｎｇ）技法を使用するＰＵＣＣＨフォーマットである。ブロックスプレッディング技法は、ブロックスプレッディングコードを利用してマルチビットＡＣＫ/ＮＡＣＫを変調したシンボルシーケンスを時間領域で拡散する方法を意味する。
【００８５】
ＰＵＣＣＨフォーマット３では、シンボルシーケンス（例えば、ＡＣＫ/ＮＡＣＫシンボルシーケンス）がブロックスプレッディングコードにより時間領域で拡散されて送信される。ブロックスプレッディングコードとして、直交カバーコード（ｏｒｔｈｏｇｏｎａｌ ｃｏｖｅｒ ｃｏｄｅ：ＯＣＣ）が使われることができる。ブロックスプレッディングコードにより複数の端末の制御信号が多重化されることができる。ＰＵＣＣＨフォーマット２では、各データシンボルで送信されるシンボル（例えば、図７のｄ（０）、ｄ（１）、ｄ（２）、ｄ（３）、ｄ（４）等）が異なり、ＣＡＺＡＣ（ｃｏｎｓｔａｎｔ ａｍｐｌｉｔｕｄｅ ｚｅｒｏ ａｕｔｏ−ｃｏｒｒｅｌａｔｉｏｎ）シーケンスの循環シフトを利用して端末多重化を実行し、それに対し、ＰＵＣＣＨフォーマット３では、一つ以上のシンボルで構成されるシンボルシーケンスが各データシンボルの周波数領域にわたって送信され、ブロックスプレッディングコードにより時間領域で拡散されて端末多重化を実行するという点が異なる。図８では、一つのスロットで２個のＲＳシンボルを使用する場合を例示したが、これに制限されるものではなく、３個のＲＳシンボルを使用し、スプレッディングファクタ（ｓｐｒｅａｄｉｎｇ ｆａｃｔｏｒ）値として４を有する直交カバーコードを使用することもできる。ＲＳシンボルは、特定循環シフトを有するＣＡＺＡＣシーケンスから生成されることができ、時間領域の複数のＲＳシンボルに特定直交カバーコードをかけた形態に送信されることができる。
【００８６】
図９は、３ＧＰＰ ＬＴＥにおいて、一つのセルで実行されるダウンリンクＨＡＲＱを例示する。
【００８７】
図９を参照すると、基地局は、端末にサブフレームｎでＰＤＣＣＨ４１１上のダウンリンクリソース割当により指示されるＰＤＳＣＨ４１２上にダウンリンクデータ（例えば、ダウンリンクトランスポートブロック）を送信する。
【００８８】
端末は、サブフレームｎ＋４でＰＵＣＣＨ４２０上にＡＣＫ/ＮＡＣＫ信号を送る。一例として、ＡＣＫ/ＮＡＣＫ信号の送信に使われるＰＵＣＣＨ４２０のリソースは、ＰＤＣＣＨ４１１のリソース（例えば、前記ＰＤＣＣＨ４１１の送信に使われる１番目のＣＣＥのインデックス）に基づいて決定されることができる。
【００８９】
基地局は、端末からＮＡＣＫ信号を受信しても、アップリンクＨＡＲＱと違って必ずサブフレームｎ＋８で再送信するものではない。ここでは、ｎ＋９番目のサブフレームでＰＤＣＣＨ４３１上のダウンリンクリソース割当により指示されるＰＤＳＣＨ４３２上に再トランスポートブロックを送信する例を示している。
【００９０】
端末は、ｎ＋１３番目のサブフレームでＰＵＣＣＨ４４０上にＡＣＫ/ＮＡＣＫ信号を送る。
【００９１】
アップリンクＨＡＲＱは、基地局のＵＬグラント送信、端末のＰＵＳＣＨ送信（前記ＵＬグラントによりスケジューリングされた）、前記ＰＵＳＣＨに対するＡＣＫ/ＮＡＣＫを前記基地局がＰＨＩＣＨを介して送信し、または新しいＵＬグラントを送信する過程で構成される。アップリンクＨＡＲＱは、ＵＬグラントとＰＵＳＣＨとの間及びＰＵＳＣＨとＰＨＩＣＨ（または、ＵＬグラント）との間の間隔が予め４ｍｓに決められることができる。
【００９２】
以下、キャリアアグリゲーション（ｃａｒｒｉｅｒ ａｇｇｒｅｇａｔｉｏｎ）システムに対して説明する。キャリアアグリゲーションシステムは、多重搬送波（ｍｕｌｔｉｐｌｅ ｃａｒｒｉｅｒ）システムとも呼ばれる。
【００９３】
３ＧＰＰ ＬＴＥシステムは、ダウンリンク帯域幅とアップリンク帯域幅が異なるように設定される場合をサポートするが、これは一つのコンポーネントキャリア（ｃｏｍｐｏｎｅｎｔ ｃａｒｒｉｅｒ、ＣＣ）を前提とする。３ＧＰＰ ＬＴＥシステムは、最大２０ＭＨｚをサポートし、アップリンク帯域幅とダウンリンク帯域幅は異なることがあるが、アップリンクとダウンリンクの各々に一つのＣＣのみをサポートする。
【００９４】
キャリアアグリゲーション（ｃａｒｒｉｅｒ ａｇｇｒｅｇａｔｉｏｎ）（または、帯域幅アグリゲーション（ｂａｎｄｗｉｄｔｈ ａｇｇｒｅｇａｔｉｏｎ）、スペクトラムアグリゲーション（ｓｐｅｃｔｒｕｍ ａｇｇｒｅｇａｔｉｏｎ）とも呼ばれる）は、複数のＣＣをサポートする。例えば、２０ＭＨｚ帯域幅を有する搬送波単位のグラニュラリティ（ｇｒａｎｕｌａｒｉｔｙ）として５個のＣＣが割り当てられる場合、最大１００Ｍｈｚの帯域幅をサポートすることができる。
【００９５】
図１０は、単一搬送波システムとキャリアアグリゲーションシステムの比較例である。
【００９６】
キャリアアグリゲーションシステム（図１０（ｂ））は、ＤＬ ＣＣとＵＬ ＣＣが各々３個ずつあるが、ＤＬ ＣＣとＵＬ ＣＣの個数に制限があるものてはない。各ＤＬ ＣＣでＰＤＣＣＨとＰＤＳＣＨが独立的に送信され、各ＵＬ ＣＣでＰＵＣＣＨとＰＵＳＣＨが独立的に送信されることができる。または、ＰＵＣＣＨは、特定ＵＬ ＣＣを介してのみ送信されることもできる。
【００９７】
ＤＬ ＣＣ−ＵＬ ＣＣの対が３個定義されるため、端末は、３個のサービングセルからサービスの提供を受けるということができる。
【００９８】
端末は、複数のＤＬ ＣＣでＰＤＣＣＨをモニタリングし、複数のＤＬ ＣＣを介して同時にＤＬトランスポートブロックを受信することができる。端末は、複数のＵＬ ＣＣを介して同時に複数のＵＬトランスポートブロックを送信することができる。
【００９９】
ＤＬ ＣＣ ＃Ａ（ＤＬコンポーネントキャリアＡ）とＵＬ ＣＣ ＃Ａ（ＵＬコンポーネントキャリアＡ）の対が第１のサービングセルになり、ＤＬ ＣＣ ＃ＢとＵＬ ＣＣ ＃Ｂの対が第２のサービングセルになり、ＤＬ ＣＣ ＃ＣとＵＬ ＣＣ ＃Ｃが第３のサービングセルになることができる。各サービングセルは、セルインデックス（Ｃｅｌｌ ｉｎｄｅｘ、ＣＩ）を介して識別されることができる。ＣＩは、セル内で固有または端末−特定的である。
【０１００】
サービングセルは、プライマリセル（ｐｒｉｍａｒｙ ｃｅｌｌ）とセカンダリセル（ｓｅｃｏｎｄａｒｙ ｃｅｌｌ）に区分されることができる。プライマリセルは、端末が初期接続確立過程を実行し、または接続再確立過程を開始し、またはハンドオーバ過程でプライマリセルに指定されたセルである。プライマリセルは、基準セル（ｒｅｆｅｒｅｎｃｅ ｃｅｌｌ）ともいう。セカンダリセルは、ＲＲＣ接続が確立された後に設定されることができ、追加的な無線リソースの提供に使われることができる。常に少なくとも一つのプライマリセルが設定され、セカンダリセルは上位階層シグナリング（例、ＲＲＣメッセージ）により追加/修正/解除されることができる。プライマリセルのＣＩは、固定されることができる。例えば、最も低いＣＩがプライマリセルのＣＩに指定されることができる。
【０１０１】
プライマリセルは、コンポーネントキャリア側面で、ＤＬ ＰＣＣ（ｄｏｗｎｌｉｎｋ ｐｒｉｍａｒｙ ｃｏｍｐｏｅｎｅｎｔ ｃａｒｒｉｅｒ）とＵＬ ＰＣＣ（ｕｐｌｉｎｋ ｐｒｉｍａｒｙ ｃｏｍｐｏｎｅｎｔ ｃａｒｒｉｅｒ）で構成される。セカンダリセルは、コンポーネントキャリア側面で、ＤＬ ＳＣＣ（ｄｏｗｎｌｉｎｋ ｓｅｃｏｎｄａｒｙ ｃｏｍｐｏｎｅｎｔ ｃａｒｒｉｅｒ）のみで構成され、またはＤＬ ＳＣＣ及びＵＬ ＳＣＣ（ｕｐｌｉｎｋ ｓｅｃｏｎｄａｒｙ ｃｏｍｐｏｎｅｎｔ ｃａｒｒｉｅｒ）の対で構成されることができる。
【０１０２】
前述したように、キャリアアグリゲーションシステムでは単一搬送波システムと違って複数のコンポーネントキャリア（ｃｏｍｐｏｎｅｎｔ ｃａｒｒｉｅｒ、ＣＣ）、即ち、複数のサービングセルをサポートすることができる。
【０１０３】
このようなキャリアアグリゲーションシステムは、交差搬送波スケジューリング（ｃｒｏｓｓ−ｃａｒｒｉｅｒ ｓｃｈｅｄｕｌｉｎｇ：ＣＣＳ）をサポートすることができる。交差搬送波スケジューリングは、特定コンポーネントキャリアを介して送信されるＰＤＣＣＨを介して他のコンポーネントキャリアを介して送信されるＰＤＳＣＨのリソース割当及び/または前記特定コンポーネントキャリアと基本的にリンクされているコンポーネントキャリア以外の他のコンポーネントキャリアを介して送信されるＰＵＳＣＨのリソース割当をすることができるスケジューリング方法である。即ち、ＰＤＣＣＨとＰＤＳＣＨが互いに異なるＤＬ ＣＣを介して送信されることができ、ＵＬグラントを含むＰＤＣＣＨが送信されたＤＬ ＣＣとリンクされたＵＬ ＣＣではない他のＵＬ ＣＣを介してＰＵＳＣＨが送信されることができる。このように交差搬送波スケジューリングをサポートするシステムでは、ＰＤＣＣＨが制御情報を提供するＰＤＳＣＨ/ＰＵＳＣＨがどのＤＬ ＣＣ/ＵＬ ＣＣを介して送信されるかを知らせる搬送波指示子が必要である。以下、このような搬送波指示子を含むフィールドを搬送波指示フィールド（ｃａｒｒｉｅｒ ｉｎｄｉｃａｔｉｏｎ ｆｉｅｌｄ、ＣＩＦ）という。
【０１０４】
交差搬送波スケジューリングをサポートするキャリアアグリゲーションシステムは、搬送波指示子フィールド（ＣＩＦ）を含むことができる。交差搬送波スケジューリングをサポートするシステム、例えば、ＬＴＥ−Ａシステムでは、既存のＤＣＩフォーマット（即ち、ＬＴＥで使用するＤＣＩフォーマット）にＣＩＦが追加されるため、３ビットが拡張されることができ、ＰＤＣＣＨ構造は、既存のコーディング方法、リソース割当方法（即ち、ＣＣＥベースのリソースマッピング）等を再使用することができる。
【０１０５】
基地局は、ＰＤＣＣＨモニタリングＤＬ ＣＣ（モニタリングＣＣ）集合を設定することができる。ＰＤＣＣＨモニタリングＤＬ ＣＣ集合は、アグリゲーションされた全体ＤＬ ＣＣのうち一部ＤＬ ＣＣで構成され、交差搬送波スケジューリングが設定されると、端末は、ＰＤＣＣＨモニタリングＤＬ ＣＣ集合に含まれているＤＬ ＣＣに対してのみＰＤＣＣＨモニタリング/デコーディングを実行する。即ち、基地局は、ＰＤＣＣＨモニタリングＤＬ ＣＣ集合に含まれているＤＬ ＣＣを介してのみ、スケジューリングしようとするＰＤＳＣＨ/ＰＵＳＣＨに対するＰＤＣＣＨを送信する。ＰＤＣＣＨモニタリングＤＬ ＣＣ集合は、端末特定的、端末グループ特定的、またはセル特定的に設定されることができる。
【０１０６】
非交差搬送波スケジューリング（ｎｏｎ−ｃｒｏｓｓ ｃａｒｒｉｅｒ ｓｃｈｅｄｕｌｉｎｇ：ＮＣＣＳ）は、特定コンポーネントキャリアを介して送信されるＰＤＣＣＨを介して前記特定コンポーネントキャリアを介して送信されるＰＤＳＣＨのリソース割当及び/または前記特定コンポーネントキャリアと基本的にリンクされているコンポーネントキャリアを介して送信されるＰＵＳＣＨのリソース割当をすることができるスケジューリング方法である。
【０１０７】
以下、３ＧＰＰ ＬＴＥ ＴＤＤ（Ｔｉｍｅ Ｄｉｖｉｓｉｏｎ Ｄｕｐｌｅｘ）でのＨＡＲＱのためのＡＣＫ/ＮＡＣＫ送信に対して記述する。
【０１０８】
ＴＤＤは、ＦＤＤ（Ｆｒｅｑｕｅｎｃｙ Ｄｉｖｉｓｉｏｎ Ｄｕｐｌｅｘ）と違って、一つの無線フレームにＤＬサブフレームとＵＬサブフレームが共存する。ＴＤＤフレームでは、ＵＬ−ＤＬ設定によって、ＵＬサブフレームの個数がＤＬサブフレームの個数より少ない、または同じである。したがって、ＡＣＫ/ＮＡＣＫ信号を送信するためのＵＬサブフレームが足りない場合に備え、複数のＤＬサブフレームで受信したＤＬトランスポートブロックまたはＰＤＳＣＨに対する複数のＡＣＫ/ＮＡＣＫ信号を一つのＵＬサブフレームで送信することをサポートしている。
【０１０９】
３ＧＰＰ ＴＳ ３６.２１３ Ｖ８.７.０（２００９−０５）の１０.１節によると、ＡＣＫ/ＮＡＣＫバンドリング（ＡＣＫ/ＮＡＣＫ ｂｕｎｄｌｉｎｇ）とＡＣＫ/ＮＡＣＫ多重化（ＡＣＫ/ＮＡＣＫ ｍｕｌｔｉｐｌｅｘｉｎｇ）の二つのＡＣＫ/ＮＡＣＫモードが開示される。
【０１１０】
ＡＣＫ/ＮＡＣＫバンドリングは、端末が受信したＰＤＳＣＨ（ダウンリンクトランスポートブロック）のデコーディングに全部成功する場合はＡＣＫを送信し、以外の場合はＮＡＣＫを送信する。そのために、各ＰＤＳＣＨに対するＡＣＫまたはＮＡＣＫを論理的ＡＮＤ演算（ｌｏｇｉｃａｌ ＡＮＤ ｏｐｅｒａｔｉｏｎ）を介して圧縮する。
【０１１１】
ＡＣＫ/ＮＡＣＫ多重化は、ＡＣＫ/ＮＡＣＫチャネル選択（または、単にチャネル選択）ともいう。ＡＣＫ/ＮＡＣＫ多重化によると、端末は、複数のＰＵＣＣＨリソースの中から一つのＰＵＣＣＨリソースを選択してＡＣＫ/ＮＡＣＫを送信する。
【０１１２】
以下の表は、３ＧＰＰ ＬＴＥにおいて、ＵＬ−ＤＬ設定によるＵＬサブフレームｎと連結された（ａｓｓｏｃｉａｔｅｄ）ＤＬサブフレームｎ−ｋ、ここで、ｋ∈Ｋ、Ｍは集合Ｋの要素の個数を示す（以下、Ｋはｋを含む集合を示し、Ｍは集合Ｋの要素の個数を示す）。即ち、ＤＬサブフレームｎ−ｋでデータを受信すると、ＵＬサブフレームｎで前記データに対するＡＣＫ/ＮＡＣＫを送信し、表５は、各ＵＬサブフレームｎに対してｋ値を各々示す。表５は、一つのセル、例えば、端末にプライマリセルのみが設定された場合、データチャネルを受信するダウンリンクサブフレームと前記データチャネルに対するＡＣＫ/ＮＡＣＫを送信するアップリンクサブフレームとの間の関係を示している。
【０１１３】
【表５】
0006306164.tif 000008
【０１１４】
ＬＴＥ−Ａ Ｒｅｌ １０システムでは、一つの端末がアグリゲーションされた複数のセル（ＣＣ）を介してデータを送受信することができる。このとき、複数のセルをスケジューリング/制御するための制御信号は、特定セルのＤＬ ＣＣのみを介して送信され、または各セルのＤＬ ＣＣを介して送信されることができる。前者は、交差搬送波スケジューリングといい、後者は、非交差搬送波スケジューリングという。
【０１１５】
以下、制御信号が送信されるＣＣをスケジューリングＣＣといい、残りのＣＣをスケジューリングを受けるＣＣという。ダウンリンクで、非交差搬送波スケジューリングでは、スケジューリングＣＣとスケジューリングを受けるＣＣが同じＣＣであり、交差搬送波スケジューリングでは、スケジューリングＣＣとスケジューリングを受けるＣＣが互いに異なる。
【０１１６】
スケジューリングＣＣには代表的にプライマリＣＣ（ＰＣＣ）がある。ＰＣＣは、アップリンク制御信号を送信するＣＣとして使われる。ＰＣＣでないＣＣは、ＳＣＣという。以下、スケジューリングＣＣの代表的な例としてＰＣＣを使用し、スケジューリングを受けるＣＣの代表的な例としてＳＣＣを使用する。しかし、必ずこれに制限されるものではない。
【０１１７】
一方、ＬＴＥ−Ａ Ｒｅｌ １０で動作する端末は、同じフレーム構造を有するＣＣのみをアグリゲーションすることができた。また、複数のＴＤＤ ＣＣをアグリゲーションする場合、ＵＬ−ＤＬ設定が同じなＣＣのみが使われることができた。そして、非交差搬送波スケジューリングが使われる場合、一つのＣＣで定義されたタイミング関係を複数のＣＣに単純拡大して適用した。
【０１１８】
しかし、将来の無線通信システムでは、アグリゲーションされるＣＣが互いに異なるフレーム構造を使用することができる。例えば、ＦＤＤ ＣＣとＴＤＤ ＣＣがアグリゲーションされることができる。
【０１１９】
図１１は、無線通信システムにおいて、複数のサービングセルが互いに異なるタイプの無線フレームを使用する一例を示す。
【０１２０】
図１１を参照すると、端末にプライマリセル（ＰＣｅｌｌ）、複数のセカンダリセル（ＳＣｅｌｌ＃１,...,ＳＣｅｌｌ＃Ｎ）が設定されることができる。このような場合、プライマリセルは、ＦＤＤで動作してＦＤＤフレームを使用し、セカンダリセルは、ＴＤＤで動作してＴＤＤフレームを使用することができる。複数のセカンダリセルには同じＵＬ−ＤＬ設定が使われることができる。プライマリセルは、ＦＤＤセルであるため、ダウンリンクサブフレーム（Ｄで表示）とアップリンクサブフレーム（Ｕで表示）が１：１に存在するが、セカンダリセルは、ＴＤＤセルであるため、ダウンリンクサブフレームとアップリンクサブフレームが１：１でない割合で存在できる。
【０１２１】
図１２は、無線通信システムにおいて、複数のサービングセルが互いに異なるタイプの無線フレームを使用する他の例を示す。
【０１２２】
図１２を参照すると、端末にＴＤＤフレームを使用するプライマリセル（ＰＣｅｌｌ）に設定され、ＦＤＤフレームを使用するセカンダリセル（ＳＣｅｌｌ）が設定されることができる。
【０１２３】
以下、本発明に対して説明する。
【０１２４】
前述したように、キャリアアグリゲーションシステムでは、一つの端末が複数のセルを利用してデータ/制御情報を送受信することができる。端末は、初期接続した一つのセルをプライマリセルとして使用し、プライマリセルを介して追加設定されるセルをセカンダリセルとして使用する。
【０１２５】
プライマリセルは、基地局と端末との間の連結を維持するための動作に使われる。例えば、プライマリセルでは、ＲＬＭ（ｒａｄｉｏ ｌｉｎｋ ｍａｎａｇｅｍｅｎｔ）、ＲＲＭ（ｒａｄｉｏ ｒｅｓｏｕｒｃｅ ｍａｎａｇｅｍｅｎｔ）、システム情報の受信、ＰＲＡＣＨ（ｐｈｙｓｉｃａｌ ｒａｎｄｏｍ ａｃｃｅｓｓ ｃｈａｎｎｅｌ）送信、アップリンク制御チャネル（ＰＵＣＣＨ）送信などの動作が実行されることができる。それに対し、セカンダリセルは、主にデータチャネルに対するスケジューリング情報またはデータチャネルの送信のために使われる。
【０１２６】
プライマリセルとセカンダリセルは、端末特定的（ＵＥ−ｓｐｅｃｉｆｉｃ）である。システム上に複数のセルがある時、各セルは、プライマリセルまたはセカンダリセルとして使われることができ、各端末は、複数のセルのうち一つをプライマリセルとして使用するようになる。即ち、任意のセルがプライマリセルまたはセカンダリセルとして使われることができる。したがって、全てのセルは、プライマリセルの動作を実行することができるように構成される。
【０１２７】
即ち、全てのセルは、同期化信号の送信、ブロードキャストチャネルの送信、ＣＲＳの送信、ＰＤＣＣＨ領域の設定などを全部具現するようになる。このようなセルを逆互換セル（ｂａｃｋｗａｒｄ ｃｏｍｐａｔｉｂｌｅ ｃｅｌｌ）または搬送波側面でＬＣＴ（Ｌｅｇａｃｙ ｃａｒｒｉｅｒ ｔｙｐｅ）という。
【０１２８】
一方、将来の無線通信システムでは、セカンダリセルとして使われる場合、不要な情報の一部または全部を除去したセルの導入を考慮している。このようなセルは、逆互換性を有しないと表現することができ、ＬＣＴに対比してＮＣＴ（ｎｅｗ ｃａｒｒｉｅｒ ｔｙｐｅ ｏｒ ｅｘｔｅｎｓｉｏｎ ｃａｒｒｉｅｒ）という。
【０１２９】
例えば、ＮＣＴでは、ＣＲＳをサブフレーム毎に送信せずに、一部時区間、周波数区間でのみ送信し、または既存のＰＤＣＣＨのようなＤＬ制御チャネル領域をなくし、または一部時区間、周波数区間に減らし、端末別に特化させたＤＬ制御チャネル領域を新しく設定することができる。
【０１３０】
このようなＮＣＴは、ダウンリンク送信のみが可能な搬送波である。以下、ダウンリンク送信のみが可能な搬送波を、便宜上、ＤＬ専用搬送波と略称する。
【０１３１】
ＤＬ専用搬送波は、多様な方法により構成されることができる。例えば、ＦＤＤで、ＤＬ専用搬送波は、ＤＬ ＣＣのみが存在するセルである。即ち、ＦＤＤで、ＤＬ専用搬送波は、対応されるＵＬ ＣＣが存在しないＤＬ ＣＣである。または、ＳＩＢ（ｓｙｓｔｅｍ ｉｎｆｏｒｍａｔｉｏｎ ｂｌｏｃｋ）によりリンクされたＵＬ ＣＣが存在するＤＬ ＣＣであるとしても、そのＵＬ ＣＣを使用せずにＤＬ ＣＣのみを使用するように設定してＤＬ専用搬送波を構成することもできる。
【０１３２】
ＴＤＤで、ＤＬ専用搬送波は、表１のＵＬ−ＤＬ設定を適用し、該当ＵＬ−ＤＬ設定によるＤＬサブフレームのみを使用するように設定して生成することができる。ＬＣＴは、ＵＬ−ＤＬ設定によって一つのフレームにＵＬサブフレーム/ＤＬサブフレーム時分割されて含まれるが、ＤＬ専用搬送波は、ＤＬサブフレームのみが含まれるという点で異なる。しかし、このような方法は、ＵＬ−ＤＬ設定によると、ＵＬサブフレームに設定されるサブフレームを使用しないことになってリソースの無駄遣いが発生する。
【０１３３】
したがって、ＴＤＤで、ＤＬ専用搬送波を使用する場合、フレーム内の全てのサブフレームがＤＬサブフレームのみで構成されるようにすることが好ましい。
【０１３４】
そのために、表６のような既存ＵＬ−ＤＬ設定に追加的なＵＬ−ＤＬ設定を追加することができる。以下の表は、本発明によるＵＬ−ＤＬ設定の例を示す。
【０１３５】
【表６】
0006306164.tif 000009
【０１３６】
表６において、ＵＬ−ＤＬ設定０〜６は、既存ＵＬ−ＤＬ設定と同じであり、追加的にＵＬ−ＤＬ設定７を追加した。ＵＬ−ＤＬ設定７は、フレーム内の全てのサブフレームがＤＬサブフレームに設定されることを示す。ＵＬ−ＤＬ設定７は、プライマリセルには使われずに、セカンダリセルにのみ使われると制限されることができる。即ち、ＤＬ専用搬送波は、周波数帯域間の干渉を避けることができるように、既存ＴＤＤプライマリセルと互いに異なる周波数帯域（セカンダリセル）に限って使われると制限されることができる。
【０１３７】
前記方法は、ＤＬ専用搬送波を設定するために、ＵＬ−ＤＬ設定７を定義し、これを直接端末に知らせる方法であるということができる。
【０１３８】
ＴＤＤのＵＬ−ＤＬ設定によって動作するプライマリセルとＦＤＤフレームを使用するＦＤＤセル（または、ＤＬ専用搬送波を使用するＦＤＤセル）のアグリゲーション時、アグリゲーションされるセルの同じサブフレームで送信方向が異なる。例えば、ＴＤＤプライマリセルのサブフレームＮは、アップリンクサブフレームであって、送信方向がアップリンクであり、それに対し、ＦＤＤセカンダリセルのサブフレームＮは、ダウンリンクサブフレームであって、送信方向がダウンリンクである。セカンダリセルでのＰＤＳＣＨ受信に対するＡＣＫ/ＮＡＣＫ送信がプライマリセルで実行される場合、プライマリセルのＵＬ−ＤＬ設定によって決定されるＨＡＲＱタイミングによってＡＣＫ/ＮＡＣＫが送信されることができる。即ち、前記表５によってセカンダリセルで受信したＰＤＳＣＨに対するプライマリセルでのＡＣＫ/ＮＡＣＫ応答タイミングが決定されることができる。
【０１３９】
しかし、ＦＤＤセカンダリセルのダウンリンクサブフレームのうち、ＴＤＤプライマリセルのダウンリンクサブフレームと同じ時間のダウンリンクサブフレームに対するＡＣＫ/ＮＡＣＫは、前記ＴＤＤプライマリセルのＨＡＲＱタイミングに従うが、ＴＤＤプライマリセルのアップリンクサブフレームと同じ時間のダウンリンクサブフレームに対するＡＣＫ/ＮＡＣＫは、いつ送信されるかが不明確である。
【０１４０】
以下、セカンダリセルのＤＬサブフレーム（または、このＤＬサブフレームで受信したデータユニット）に対するＡＣＫ/ＮＡＣＫをプライマリセルのＵＬサブフレームで送信する場合に対するＤＬ ＨＡＲＱタイミングを構成する方法を説明する。
【０１４１】
以下、プライマリセルがＴＤＤセルであり、セカンダリセルがＦＤＤセルである場合を仮定するが、ＦＤＤセルがプライマリセルとセカンダリセル両方とも、ＦＤＤセルが単独で使われる場合に適用されるＨＡＲＱタイミングに従わない場合、前記方法が適用されることができる。
【０１４２】
＜第１の実施例＞
【０１４３】
セカンダリセルの全体ＤＬサブフレームの各々に対して、データ受信後、ＡＣＫ/ＮＡＣＫの送信に必要な最小時間（ｋｍｉｎ＝４）を満たす最も速いタイミングのプライマリセルのＵＬサブフレームでＡＣＫ/ＮＡＣＫを送信することができる。プライマリセルのＵＬ−ＤＬ設定がＵＬ−ＤＬ設定０、１、２、５の場合に限って前記方法を適用することができる。
【０１４４】
ＴＤＤプライマリセルが単独で使われる場合は、前記表５によるＨＡＲＱタイミング（以下、第１のＨＡＲＱタイミング）によってＡＣＫ/ＮＡＣＫを送信し、ＦＤＤセカンダリセルがアグリゲーションされ、ＦＤＤセカンダリセルでデータを受信した場合は、前記第１のＨＡＲＱタイミング以外に追加的にＨＡＲＱタイミングが必要である。以下、この追加的なＨＡＲＱタイミングを第２のＨＡＲＱタイミングという。
【０１４５】
ＴＤＤプライマリセルのＵＬ−ＤＬ設定別に前記第１のＨＡＲＱタイミング及び前記第２のＨＡＲＱタイミングは、以下の表のように示すことができる。以下の表７において、‘[ ]’で表示されたものが第２のＨＡＲＱタイミングを示す。
【０１４６】
【表７】
0006306164.tif 000010
【０１４７】
＜第２の実施例＞
【０１４８】
セカンダリセルの全体ＤＬサブフレームの各々に対して、ＡＣＫ/ＮＡＣＫを送信するＵＬサブフレームに対応するＤＬサブフレームの個数ができるだけ均等になるようにＨＡＲＱタイミングを設定することができる。プライマリセルの各ＵＬサブフレームで送信するＡＣＫ/ＮＡＣＫの個数が特定ＵＬサブフレームに偏せずに全てのＵＬサブフレームにできるだけ均等に配置（即ち、均等分配）されるようにする方法である。もちろん、セカンダリセルのＤＬサブフレームでデータを受信した後、ＡＣＫ/ＮＡＣＫの送信に必要な最小時間であるｋmin＝４を満たす最も速いタイミングのプライマリセルのＵＬサブフレームでＡＣＫ/ＮＡＣＫを送信することを排除するものではない。
【０１４９】
均等分配を介して各ＵＬサブフレームで送信すべきＡＣＫ/ＮＡＣＫビット数をできるだけ均一にすることで負荷が分散される効果がある。
【０１５０】
均等分配の具体的な規則として、均等分配を考慮せずに最小必要時間（ｋmin）のみを考慮した最小間隔のＰＤＳＣＨ−ＡＣＫ/ＮＡＣＫタイミングを設定した時、ｋ値が最も大きいＰＤＳＣＨを基準タイミングに定め、残りのＰＤＳＣＨに対しては均等分配をし、また、先行するＰＤＳＣＨに対するＡＣＫ/ＮＡＣＫが後行するＰＤＳＣＨに対するＡＣＫ/ＮＡＣＫ以後に位置しないようにする。
【０１５１】
プライマリセルのＵＬ−ＤＬ設定がＵＬ−ＤＬ設定０、１、２、５の場合、既存のＴＤＤ ＵＬ−ＤＬタイミングは、維持された特徴がある。前記方法は、ＵＬ−ＤＬ設定６にのみ適用することもできる。ＵＬ−ＤＬ設定６に適用された場合、ＡＣＫ/ＮＡＣＫ遅延を減らすことができるという長所がある。
【０１５２】
第２の実施例による時、第１のＨＡＲＱタイミング及び第２のＨＡＲＱタイミングは、以下の表８のように示すことができる。以下の表において、‘[ ]’で表示されたものが第２のＨＡＲＱタイミングを示す。
【０１５３】
【表８】
0006306164.tif 000011
【０１５４】
または、第２の実施例による時、第１のＨＡＲＱタイミング及び第２のＨＡＲＱタイミングは、以下の表のように示すことができる。以下の表９において、‘[ ]’で表示されたものが第２のＨＡＲＱタイミングを示す。
【０１５５】
【表９】
0006306164.tif 000012
【０１５６】
図１３乃至図２０は、前記第１の実施例によるＨＡＲＱタイミングと第２の実施例によるＨＡＲＱタイミングを示す。
【０１５７】
図１３乃至図２０では、ＰＵＣＣＨを送信するプライマリセルのＵＬサブフレームに整列されたセカンダリセルのＨＡＲＱタイミング、既存ＨＡＲＱタイミング、既存ＨＡＲＱタイミングで変更されるＨＡＲＱタイミングを示している。プライマリセルのＵＬサブフレームに整列されたセカンダリセルのＨＡＲＱタイミングは、第１の実施例によるものと第２の実施例によるものを共に示している。
【０１５８】
図２１は、本発明の一実施例に係るＡＣＫ/ＮＡＣＫ送信方法を示す。
【０１５９】
図２１を参照すると、端末は、データを受信するセカンダリセルのダウンリンクサブフレームと前記データに対するＡＣＫ/ＮＡＣＫを送信するプライマリセルのアップリンクサブフレームとの間の時間区間を決定する（Ｓ１５１）。ダウンリンクサブフレームと前記アップリンクサブフレームとの間の時間区間は、第１のＨＡＲＱタイミングまたは第２のＨＡＲＱタイミングにより決定される。前述したように、第１のＨＡＲＱタイミングは、前記プライマリセルが単独で使われる場合に適用されるＨＡＲＱタイミングであって、表５で規定している。第２のＨＡＲＱタイミングは、前記第１のＨＡＲＱタイミングに追加されるＨＡＲＱタイミングであって、前記表７、表８、表９等で説明した（以下の表１０及び表１１も一例になることができる）。
【０１６０】
端末は、決定された時間区間によるアップリンクサブフレームでＡＣＫ/ＮＡＣＫを送信する（Ｓ１５２）。
【０１６１】
一方、プライマリセルのＵＬ−ＤＬ設定がＵＬ−ＤＬ設定６の場合、セカンダリセルで受信したＰＤＳＣＨとプライマリセルで送信されるＡＣＫ/ＮＡＣＫとの間の時間間隔が５ｍｓ以下になるようにしながら、均等分配方式を適用することができる。
【０１６２】
表５の第１のＨＡＲＱタイミングに追加される第２のＨＡＲＱタイミングは、以下の表１０のように示すことができる。
【０１６３】
【表１０】
0006306164.tif 000013
【０１６４】
ＴＤＤプライマリセルにＦＤＤセカンダリセルがアグリゲーションされる場合、第２のＨＡＲＱタイミングは、第１のＨＡＲＱタイミングに常に追加されることができる。
【０１６５】
または、第２のＨＡＲＱタイミングの追加適用可否が基地局により端末にシグナリングされることができる。このシグナリングは、ＲＲＣやＰＤＣＣＨを利用してＬ１、Ｌ２、Ｌ３に直接シグナリングされることができる。または、ＲＲＣ設定と連結されて間接的にシグナリングされることができる。例えば、第２のＨＡＲＱタイミングの適用可否は、ＰＵＣＣＨフォーマット３及びチャネル選択のうちいずれかが設定されるかによって決定されることができる。即ち、ＰＵＣＣＨフォーマット３が設定された場合にのみ、第２のＨＡＲＱタイミングを追加適用し、チャネル選択が設定された場合は、第１のＨＡＲＱタイミングのみを適用し、第２のＨＡＲＱタイミングは追加適用しない。
【０１６６】
Ｍ＞４であるアップリンクサブフレームが発生するＵＬ−ＤＬ設定にのみ、第２のＨＡＲＱタイミングを限定的に追加適用することができる。プライマリセルのＵＬ−ＤＬ設定がＵＬ−ＤＬ設定５の場合、常にＰＵＣＣＨフォーマット３のみを使用することができるため、第２のＨＡＲＱタイミングは常に追加されることができる。
【０１６７】
一方、プライマリセルのＵＬ−ＤＬ設定がＵＬ−ＤＬ設定３、４、６の場合、第１のＰＤＳＣＨがセカンダリセルの第１のサブフレームで受信され、第２のＰＤＳＣＨがセカンダリセルの第２のサブフレームで受信されると仮定する。ここで、第１のサブフレームが第２のサブフレームより先行するサブフレームである。この場合、前記第１のＰＤＳＣＨに対するＡＣＫ/ＮＡＣＫが第２のＰＤＳＣＨに対するＡＣＫ/ＮＡＣＫより後に送信されるＡＣＫ/ＮＡＣＫ逆転現象が発生できる。そのとき、基地局のスケジューリングの複雑度が増加することができるため、これを防止するために、均等分配をすることができなくてもＡＣＫ/ＮＡＣＫの逆転現象を避ける方法を考慮することができる。この方法によると、より速いタイミングでのＨＡＲＱ−ＡＣＫ送信を可能にすることができる。
【０１６８】
ＴＤＤプライマリセルとＦＤＤセカンダリセルがアグリゲーションされる場合、ＴＤＤプライマリセルのＵＬ−ＤＬ設定がＦＤＤセカンダリセルに対するＤＬ基準ＵＬ−ＤＬ設定になる。即ち、ＦＤＤセカンダリセルのダウンリンクサブフレームで受信したデータ（ＰＤＳＣＨまたはトランスポートブロック）に対するＡＣＫ/ＮＡＣＫは、ＴＤＤプライマリセルのアップリンクサブフレームを介して送信され、前記アップリンクサブフレームは、ＤＬ基準ＵＬ−ＤＬ設定によって決定される。このとき、前記ＤＬ基準ＵＬ−ＤＬ設定は、ＴＤＤプライマリセルのＵＬ−ＤＬ設定という意味である。
【０１６９】
プライマリセルのＵＬ−ＤＬ設定がＵＬ−ＤＬ設定３、４、６の場合、表５のような第１のＨＡＲＱタイミングに以下の表のような第２のＨＡＲＱタイミングが追加されることができる。以下の表１１では第１のＨＡＲＱタイミングは示していない。
【０１７０】
【表１１】
0006306164.tif 000014
【０１７１】
もし、プライマリセルのＵＬ−ＤＬ設定がＵＬ−ＤＬ設定３、４、６の場合に対して、第１のＨＡＲＱタイミングと第２のＨＡＲＱタイミングを共に示すと、以下の通りである。
【０１７２】
【表１２】
0006306164.tif 000015
【０１７３】
一方、ＴＤＤセカンダリセルにＨＡＲＱタイミングのための基準ＵＬ−ＤＬ設定が適用されることができる。基準ＵＬ−ＤＬ設定は、ＡＣＫ/ＮＡＣＫを送信するために使われるＵＬ−ＤＬ設定である。このとき、ＴＤＤセカンダリセルに適用される基準ＵＬ−ＤＬ設定に対して決定される集合ＫをＫScellとし、ＴＤＤプライマリセルに適用されるＵＬ−ＤＬ設定に対して決定される集合ＫをＫPcellとすると、ＫScellはＫPcellと異なることがある。
【０１７４】
交差搬送波スケジューリングが適用される場合、プライマリセルがセカンダリセルをスケジューリングすることができる。セカンダリセルのＨＡＲＱタイミングは、集合ＫScellによって適用され、プライマリセルとセカンダリセルの同じＵＬサブフレームでＫPcellの要素（ｋPcellm）と同じ値を有するＫScellの要素（ｋScelln）に対してはプライマリセルの黙示的ＰＵＣＣＨリソースマッピング時（例えば、基本アンテナポートの場合、ｎ(1,p)PUCCH＝（Ｍ?ｍ−１）・Ｎc＋ｍ・Ｎc+1＋ｎCCE,m＋Ｎ(1)PUCCH）、ｋPcellmのｍを適用する。
【０１７５】
一例として、プライマリセルがＵＬ−ＤＬ設定２を使用し、セカンダリセルの基準ＵＬ−ＤＬ設定がＵＬ−ＤＬ設定１の場合、ＵＬサブフレーム２でｋScell0＝７、ｋPcell1＝７になってｍ＝１が適用される。
【０１７６】
一方、既存のＫPcellと別途のＫ′を構成して、新しく追加されるＫ′のｋm′が指示するＤＬサブフレームｎ−ｋm′に対応するＰＵＣＣＨフォーマット１ａ/１ｂの場合、既存集合ＫPcellが対応される黙示的ＰＵＣＣＨリソースの次から（帯域の中心側に）黙示的マッピングが対応されるように構成できる。即ち、ｍ値の対応を既存値以後に設定することができる。この方法は、既存ＭPcell値に変化を与えない。
【０１７７】
既存ＫPcellに対応するリソースとＫ′に対応するリソースが衝突し得るため、これを避けるために黙示的リソースにオフセットを適用することができる。前記オフセットは、ＤＣＩの特定フィールド、例えば、ＡＲＯ（ＡＣＫ/ＮＡＣＫ ｒｅｓｏｕｒｃｅ ｏｆｆｓｅｔ）フィールドでシグナリングされることができる。オフセットは、ＫPcellに対応するＤＣＩとＫ′に対応するＤＣＩの両方ともで送信され、またはＫ′に対応するＤＣＩでのみ送信されることができる。
【０１７８】
一方、ＰＵＣＣＨフォーマット３を介してＡＣＫ/ＮＡＣＫが送信される場合、ＡＣＫ/ＮＡＣＫは、下記のような方法により配置されることができる。
【０１７９】
１．同じセル（または、同じセルインデックスを有するセル）に対するＨＡＲＱプロセスの場合、ＫPcellに対応するＡＣＫ/ＮＡＣＫをＭＳＢ（ｍｏｓｔ ｓｉｇｎｉｆｉｃａｎｔ ｂｉｔ）に先に配置し、Ｋ′に対応するＡＣＫ/ＮＡＣＫを以後に配置する。Ｋ′に対応するタイミングが設定可能な場合に有用である。
【０１８０】
２．同じセル（または、同じセルインデックスを有するセル）に対するＨＡＲＱプロセスの場合、ＫPcellとＫ′に対応するＡＣＫ/ＮＡＣＫの区分なく、サブフレームの時間順にＭＳＢから配置する。
【０１８１】
３．同じセル（または、同じセルインデックスを有するセル）に対するＨＡＲＱプロセスの場合、ＫPcellとＫ′に対応するＡＣＫ/ＮＡＣＫの区分なく、集合Ｋに定義された順序通りにＭＳＢから配置する。
【０１８２】
図２２は、本発明の実施例が具現される無線機器を示すブロック図である。
【０１８３】
基地局１００は、プロセッサ（ｐｒｏｃｅｓｓｏｒ）１１０、メモリ（ｍｅｍｏｒｙ）１２０及びＲＦ部（ＲＦ（ｒａｄｉｏ ｆｒｅｑｕｅｎｃｙ）ｕｎｉｔ）１３０を含む。プロセッサ１１０は、提案された機能、過程及び/または方法を具現する。例えば、プロセッサ１１０は、端末に互いに異なるフレーム構造を使用する複数のサービングセルを設定する。例えば、ＦＤＤフレームを使用するＦＤＤセルを設定し、ＴＤＤフレームを使用するＴＤＤセルを設定することができる。その後、ＦＤＤセルを介してデータを送信し、ＴＤＤセルを介して前記データに対するＡＣＫ/ＮＡＣＫを受信することができる。データを送信するサブフレームとＡＣＫ/ＮＡＣＫを受信するサブフレームとの間の時間関係は、第１のＨＡＲＱタイミングまたは第２のＨＡＲＱタイミングにより決定されることができる。メモリ１２０は、プロセッサ１１０と連結され、プロセッサ１１０を駆動するための多様な情報を格納する。ＲＦ部１３０は、プロセッサ１１０と連結され、無線信号を送信及び/または受信する。
【０１８４】
端末２００は、プロセッサ２１０、メモリ２２０及びＲＦ部２３０を含む。プロセッサ２１０は、提案された機能、過程及び/または方法を具現する。例えば、プロセッサ２１０は、ＦＤＤフレームを使用するＦＤＤセルの設定を受け、ＴＤＤフレームを使用するＴＤＤセルの設定を受けることができる。ＦＤＤセルを介してデータを受信し、ＴＤＤセルを介して前記データに対するＡＣＫ/ＮＡＣＫを送信することができる。前記データを受信するサブフレームと前記ＡＣＫ/ＮＡＣＫを送信するサブフレームとの間の時間関係は、第１のＨＡＲＱタイミングまたは第２のＨＡＲＱタイミングにより決定されることができる。メモリ２２０は、プロセッサ２１０と連結され、プロセッサ２１０を駆動するための多様な情報を格納する。ＲＦ部２３０は、プロセッサ２１０と連結され、無線信号を送信及び/または受信する。
【０１８５】
プロセッサ１１０、２１０は、ＡＳＩＣ（ａｐｐｌｉｃａｔｉｏｎ−ｓｐｅｃｉｆｉｃ ｉｎｔｅｇｒａｔｅｄ ｃｉｒｃｕｉｔ）、他のチップセット、論理回路、データ処理装置及び/またはベースバンド信号及び無線信号を相互変換する変換器を含むことができる。メモリ１２０、２２０は、ＲＯＭ（ｒｅａｄ−ｏｎｌｙ ｍｅｍｏｒｙ）、ＲＡＭ（ｒａｎｄｏｍ ａｃｃｅｓｓ ｍｅｍｏｒｙ）、フラッシュメモリ、メモリカード、格納媒体及び/または他の格納装置を含むことができる。ＲＦ部１３０、２３０は、無線信号を送信及び/または受信する一つ以上のアンテナを含むことができる。実施例がソフトウェアで具現される時、前述した技法は、前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部または外部にあり、よく知られた多様な手段によりプロセッサ１１０、２１０と連結されることができる。
【図１】
0006306164.tif 000020
【図２】
0006306164.tif 000021
【図３】
0006306164.tif 000022
【図４】
0006306164.tif 000023
【図５】
0006306164.tif 000024
【図６】
0006306164.tif 000025
【図７】
0006306164.tif 000026
【図８】
0006306164.tif 000027
【図９】
0006306164.tif 000028
【図１０】
0006306164.tif 000029
【図１１】
0006306164.tif 000030
【図１２】
0006306164.tif 000031
【図１３】
0006306164.tif 000032
【図１４】
0006306164.tif 000033
【図１５】
0006306164.tif 000034
【図１６】
0006306164.tif 000035
【図１７】
0006306164.tif 000036
【図１８】
0006306164.tif 000037
【図１９】
0006306164.tif 000038
【図２０】
0006306164.tif 000039
【図２１】
0006306164.tif 000040
【図２２】
0006306164.tif 000041